(57)【要約】【課題】ＲＦＩＤタグを用いて、対象物の売買、流通などの際に、対象物に関する情報の管理を効率的かつ適切におこなうこと。【解決手段】撮影部３０２が対象物の外観を撮影し、画像情報を取得し、対象物情報取得部３０１が、対象物に設けられたＲＦＩＤタグ１０１に記憶された対象物に関する情報を取得し、管理情報生成部３０３が、取得された画像情報と取得された対象物に関する情報とに基づいて対象物の管理情報を生成し、管理情報記憶部３０５が生成された管理情報を記憶し、管理情報出力部３０６が記憶された管理情報を出力し、対象物に設けられたＲＦＩＤタグ１０１に記録されている対象物の情報とその画像を容易に関連付けする。【選択図】        図３
2006155236.tif 000002
【特許請求の範囲】
【請求項１】
対象物の外観を撮影し、画像情報を取得する撮影手段と、
前記対象物に設けられたＲＦＩＤ（Ｒａｄｉｏ  Ｆｒｅｑｕｅｎｃｙ  ＩＤ）タグに記憶された対象物に関する情報を取得する取得手段と、
前記撮影手段によって取得された画像情報と、前記取得手段によって取得された情報とに基づいて、前記対象物の管理情報を生成する生成手段と、
前記生成手段によって生成された管理情報を記憶する記憶手段と、
前記記憶手段によって記憶された管理情報を出力する出力手段と、
を備えたことを特徴とする対象物管理情報生成装置。
【請求項２】
前記撮影手段によって取得された画像情報を前記ＲＦＩＤタグに記録する画像記録手段を備えたことを特徴とする請求項１に記載の対象物管理情報生成装置。
【請求項３】
前記撮影手段によって前記対象物の外観が撮影された日時に関する情報、前記対象物の外観を撮影した撮影者に関する情報、前記対象物の外観が撮影された場所に関する情報、前記対象物と関連のある別の対象物に関する情報の少なくともいずれか一つに関する情報を取得する撮影情報取得手段と、
を備え、
前記生成手段は、前記撮影手段によって取得された画像情報と、前記取得手段によって取得された情報と、前記撮影情報取得手段によって取得された情報とに基づいて、前記対象物の管理情報を生成することを特徴とする請求項１または２に記載の対象物管理情報生成装置。
【請求項４】
前記撮影情報取得手段によって取得された撮影情報を前記ＲＦＩＤタグに記録する撮影情報記録手段を備えたことを特徴とする請求項３に記載の対象物管理情報生成装置。
【請求項５】
前記生成手段によって生成された管理情報に対する付加情報の入力を受け付ける入力手段を備え、
前記記憶手段は、前記入力手段によって入力された付加情報を前記管理情報に関連付けして記憶することを特徴とする請求項１〜４のいずれか一つに記載の対象物管理情報生成装置。
【請求項６】
前記入力手段によって入力された付加情報を前記ＲＦＩＤタグに記録する付加情報記録手段を備えたことを特徴とする請求項５に記載の対象物管理情報生成装置。
【請求項７】
前記付加情報は、前記対象物の品質検査状況に関する情報を含むことを特徴とする請求項５または６に記載の対象物管理情報生成装置。
【請求項８】
前記対象物は、リサイクル部品であることを特徴とする請求項１〜７のいずれか一つに記載の対象物管理情報生成装置。
【請求項９】
請求項１〜８のいずれか一つに記載された対象物管理情報生成装置から出力された管理情報を、ネットワークを介して閲覧可能に登録する登録手段を備えたことを特徴とする対象物管理装置。
【請求項１０】
対象物の外観を撮影し、画像情報を取得する撮影工程と、
前記対象物に設けられたＲＦＩＤ（Ｒａｄｉｏ  Ｆｒｅｑｕｅｎｃｙ  ＩＤ）タグに記憶された対象物に関する情報を取得する取得工程と、
前記撮影工程によって取得された画像情報と、前記取得工程によって取得された情報とに基づいて、前記対象物の管理情報を生成する生成工程と、
前記生成工程によって生成された管理情報を出力する出力工程と、
を含んだことを特徴とする対象物管理方法。
【請求項１１】
対象物の外観を撮影し、画像情報を取得する撮影工程と、
前記対象物に設けられたＲＦＩＤ（Ｒａｄｉｏ  Ｆｒｅｑｕｅｎｃｙ  ＩＤ）タグに記憶された対象物に関する情報を取得する取得工程と、
前記撮影工程によって取得された画像情報と、前記取得工程によって取得された情報とに基づいて、前記対象物の管理情報を生成する生成工程と、
前記生成工程によって生成された管理情報を、ネットワークを介して閲覧可能に登録する登録工程と、
を含んだことを特徴とする対象物管理方法。
【請求項１２】
前記請求項１０または１１のいずれか一つをコンピュータに実行させることを特徴とする対象物管理プログラム。
【発明の詳細な説明】
【技術分野】
【０００１】
この発明は、ＲＦＩＤ（Ｒａｄｉｏ  Ｆｒｅｑｕｅｎｃｙ  ＩＤ）タグを用いた対象物管理情報生成装置、対象物管理装置、対象物管理方法および対象物管理プログラムに関する。
【背景技術】
【０００２】
従来、特にリサイクル部品の流通市場にあっては、部品の状態に関する情報は文字情報によって伝えらることが多く、その状態を正確に把握することができなかったため、当該部品に対する信頼性を確保することが困難であった。そこで、市場において、当該部品を撮影した写真を用いて部品の状態を共有することが考えられていた。
【発明の開示】
【発明が解決しようとする課題】
【０００３】
しかしながら、撮影した写真を用いて部品の状態を共有するには、デジタルカメラなどで部品の外観を撮影した後、その写真を印刷して、さらにその写真を物理的なファイリングの整理などをすることによって、部品と写真との関連情報を部品ごとに管理する必要があったため、それらの作業が極めて繁雑であった。また、その管理が不十分となる場合が多く、多種多様な部品を扱うリサイクル部品市場において、広く部品情報を共有できないという問題点があった。
【０００４】
また、ＲＦＩＤタグに関する技術の進歩および低価格化にともない、ＲＦＩＤタグを各対象物に設けることによって、流通する対象物（リサイクル物品）を管理することが広く考えられてきている。
【０００５】
この発明は、上述した従来技術による問題点を解消するため、対象物の売買、流通などの際に、対象物に関する情報の管理を効率的かつ適切におこなうことが可能な対象物管理情報生成装置、対象物管理装置、対象物管理方法および対象物管理プログラムを提供することを目的とする。
【課題を解決するための手段】
【０００６】
上述した課題を解決し、目的を達成するため、請求項１に記載の発明にかかる対象物管理情報生成装置は、対象物の外観を撮影し、画像情報を取得する撮影手段と、前記対象物に設けられたＲＦＩＤタグに記憶された対象物に関する情報を取得する取得手段と、前記撮影手段によって取得された画像情報と、前記取得手段によって取得された情報とに基づいて、前記対象物の管理情報を生成する生成手段と、前記生成手段によって生成された管理情報を記憶する記憶手段と、前記記憶手段によって記憶された管理情報を出力する出力手段と、を備えたことを特徴とする。
【０００７】
また、請求項２に記載の発明にかかる対象物管理情報生成装置は、請求項１に記載の発明において、前記撮影手段によって取得された画像情報を前記ＲＦＩＤタグに記録する画像記録手段を備えたことを特徴とする。
【０００８】
また、請求項３に記載の発明にかかる対象物管理情報生成装置は、請求項１または２に記載の発明において、前記撮影手段によって前記対象物の外観が撮影された日時に関する情報、前記対象物の外観を撮影した撮影者に関する情報、前記対象物の外観が撮影された場所に関する情報、前記対象物と関連のある別の対象物に関する情報の少なくともいずれか一つに関する情報を取得する撮影情報取得手段と、を備え、前記生成手段が、前記撮影手段によって取得された画像情報と、前記取得手段によって取得された情報と、前記撮影情報取得手段によって取得された情報とに基づいて、前記対象物の管理情報を生成することを特徴とする。
【０００９】
また、請求項４に記載の発明にかかる対象物管理情報生成装置は、請求項３に記載の発明において、前記撮影情報取得手段によって取得された撮影情報を前記ＲＦＩＤタグに記録する撮影情報記録手段を備えたことを特徴とする。
【００１０】
また、請求項５に記載の発明にかかる対象物管理情報生成装置は、請求項１〜４のいずれか一つに記載の発明において、前記生成手段によって生成された管理情報に対する付加情報の入力を受け付ける入力手段を備え、前記記憶手段が、前記入力手段によって入力された付加情報を前記管理情報に関連付けして記憶することを特徴とする。
【００１１】
また、請求項６に記載の発明にかかる対象物管理情報生成装置は、請求項５に記載の発明において、前記入力手段によって入力された付加情報を前記ＲＦＩＤタグに記録する付加情報記録手段を備えたことを特徴とする。
【００１２】
また、請求項７に記載の発明にかかる対象物管理情報生成装置は、請求項５または６に記載の発明において、前記付加情報が、前記対象物の品質検査状況に関する情報を含むことを特徴とする。
【００１３】
また、請求項８に記載の発明にかかる対象物管理情報生成装置は、請求項１〜７のいずれか一つに記載の発明において、前記対象物が、リサイクル部品であることを特徴とする。
【００１４】
また、請求項９に記載の発明にかかる対象物管理装置は、請求項１〜８のいずれか一つに記載された対象物管理情報生成装置から出力された管理情報を、ネットワークを介して閲覧可能に登録する登録手段を備えたことを特徴とする。
【００１５】
また、請求項１０に記載の発明にかかる対象物管理方法は、対象物の外観を撮影し、画像情報を取得する撮影工程と、前記対象物に設けられたＲＦＩＤタグに記憶された対象物に関する情報を取得する取得工程と、前記撮影工程によって取得された画像情報と、前記取得工程によって取得された情報とに基づいて、前記対象物の管理情報を生成する生成工程と、前記生成工程によって生成された管理情報を出力する出力工程と、を含んだことを特徴とする。
【００１６】
また、請求項１１に記載の発明にかかる対象物管理方法は、対象物の外観を撮影し、画像情報を取得する撮影工程と、前記対象物に設けられたＲＦＩＤタグに記憶された対象物に関する情報を取得する取得工程と、前記撮影工程によって取得された画像情報と、前記取得工程によって取得された情報とに基づいて、前記対象物の管理情報を生成する生成工程と、前記生成工程によって生成された管理情報を、ネットワークを介して閲覧可能に登録する登録工程と、を含んだことを特徴とする。
【００１７】
また、請求項１２に記載の発明にかかる対象物管理プログラムは、前記請求項１０または１１の対象物管理方法のいずれか一つをコンピュータに実行させることを特徴とする。
【発明の効果】
【００１８】
本発明によれば、対象物の売買、流通などの際に、対象物に関する情報の管理を効率的かつ適切におこなうことができ、対象物の健全な流通を維持し、特にリサイクル部品に適用することによって、リサイクル部品の流通をより有効におこなうことが可能な対象物管理情報生成装置、対象物管理装置、対象物管理方法および対象物管理プログラムが得られるという効果を奏する。
【発明を実施するための最良の形態】
【００１９】
以下に添付図面を参照して、この発明にかかる対象物管理情報生成装置、対象物管理装置、対象物管理方法、および対象物管理プログラムの好適な実施の形態を詳細に説明する。
【００２０】
（システムの概要）
まず、この発明にかかる対象物管理情報生成装置を含む全体システムの一具体例として、中古車のリサイクル部品管理システムについて説明する。図１は、本発明の実施の形態にかかる中古車リサイクル部品管理システムの概要を示す説明図である。図１において、中古車リサイクル部品管理システムは、対象物管理情報生成装置１００と、サーバ１０２と、情報処理装置（ＰＣ）１０３と、データベース１０４と、携帯型情報端末装置１０５とを含む構成であり、それぞれがネットワーク１５０によって接続されている。また、１０１は、中古車あるいは中古車の個々のリサイクル部品に廃棄の対象となる対象物に設けられたＲＦＩＤタグ（無線ＩＣタグ）である。
【００２１】
対象物管理情報生成装置１００は、たとえば携帯型の情報端末装置であり、ＲＦＩＤタグ１０１からデータを読み取ったり、ＲＦＩＤタグ１０１にデータを書き込んだりするＲ／Ｗ（リーダー／ライター）２０９（図２、図５を参照）と、対象物を撮影するカメラ２１６と、Ｒ／Ｗ２０９で読み込んだデータや、カメラ２１６で撮影した画像を表示するディスプレイ２０８と、を備えている。また、ネットワーク１５０にたとえば無線によって接続される。対象物管理情報生成装置１００の内容の詳細については後述する。
【００２２】
サーバ１０２は、ネットワーク１５０に接続され、中古車リサイクル部品管理システム全体の制御を司る。また、対象物管理装置としての役割を果たす。
【００２３】
情報処理装置１０３は、インターネットなどのネットワーク１５０に接続可能なパーソナルコンピュータである。データベース１０４は、対象物管理情報生成装置１００によって生成された対象物管理情報、具体的にはたとえば中古車リサイクル部品情報を記憶する。また、記憶された中古車リサイクル部品情報をインターネットなどのネットワーク上において閲覧可能に登録する。具体的にはホームページにおいて中古車リサイクル部品情報を公開する。そして、この際、ファイルデータとしてデータベース１０４に管理された写真は、インターネットのホームページ上で、部品番号などを入力することによって部品番号の同じ複数の写真がホームページ上に呼び出されて表示されるようにしてもよい。
【００２４】
このように、サーバ１０２とデータベース１０４によって、対象物管理情報生成装置１００から出力された管理情報をネットワーク１５０を介して閲覧可能に登録する登録手段としての機能を実現することができる。
【００２５】
携帯型情報端末装置１０５は、たとえば携帯電話機や通信機能を備えたノートパソコンやＰＤＡなどである。携帯型情報端末装置１０５は、図示を省略する基地局などを介してネットワーク１５０に接続される。携帯型情報端末装置１０５も、情報処理装置１０３と同様に、インターネットのホームページ上で、部品番号などを入力することによって所望の部品の検査をおこなうことができる。
【００２６】
ＲＦＩＤタグ１０１は、たとえば、情報を記録する小型のＩＣチップと、金属製のアンテナで構成する。ＩＣはたとえば０．１ミリ〜数ミリ角の大きさである。ＩＣは１０数バイト〜数Ｋバイトのメモリとロジック回路を備え、無線通信によってデータの読み取りや書き込みができる。ロジック回路によって、演算、認証、暗号化などの処理もできる。ＲＦＩＤタグ１０１は、電池を内蔵していてもよく、また内蔵していなくてもよい。ＲＦＩＤタグ１０１に電池を内蔵すれば、ＲＦＩＤタグ１０１から能動的に情報を発信することができる。一つひとつの対象物に対して固有のＩＤを付与することができ、ある程度離れた場所から複数のもののＩＤを一括して読み書きできる。
【００２７】
（対象物管理情報生成装置のハードウエア構成）
図２は、本実施の形態にかかる対象物管理情報生成装置のハードウエア構成を示すブロック図である。図２において、この対象物管理情報生成装置１００は、ＣＰＵ２０１と、ＲＯＭ２０２と、ＲＡＭ２０３と、ＨＤＤ（ハードディスクドライブ）２０４と、ＨＤ（ハードディスク）２０５と、ＦＤＤ（フレキシブルディスクドライブ）２０６と、着脱可能な記録媒体の一例としてのＦＤ（フレキシブルディスク）２０７と、ディスプレイ２０８と、Ｒ／Ｗ（リーダー／ライター）２０９と、Ｉ／Ｆ（インタフェース）２１０と、操作ボタン２１１と、キーボード２１２と、時計２１３と、ＧＰＳ２１４と、プリンタ２１５と、カメラ２１６と、を備えている。そして、上記各構成部はバス２００によってそれぞれ接続されている。
【００２８】
ＣＰＵ２０１は、対象物管理情報生成装置１００の全体の制御を司る。ＲＯＭ２０２は、ブートプログラムなどのプログラムを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。
【００２９】
ＦＤＤ２０６は、ＣＰＵ２０１の制御にしたがってＦＤ２０７に対するデータのリード／ライトを制御する。ＦＤ２０７は、ＦＤＤ２０６の制御で書き込まれたデータを記憶したり、ＦＤ２０７に記録されたデータを情報処理装置へ読み取らせたりする。着脱可能な記録媒体として、ＦＤ２０７のほか、ＣＤ−ＲＯＭ（ＣＤ−Ｒ、ＣＤ−ＲＷ）、ＭＯ、ＤＶＤ（デジタル  Ｖｅｒｓａｔｉｌｅ  Ｄｉｓｋ）、メモリカードなどであってもよい。ディスプレイ２０８は、文書、画像、機能情報などのデータを表示する。たとえば、ＴＦＴ液晶ディスプレイのほか、ＣＲＴやプラズマディスプレイなどであってもよい。
【００３０】
Ｒ／Ｗ２０９は、ＲＦＩＤタグ１０１に対して、データの読み出し／書き込みをおこなう。通信距離は約数ｃｍから２ｍであり、無線周波数はたとえば、１３．５６ＭＨｚ（電磁誘導方式）と２．４５ＧＨｚ（マイクロ波方式）である。電磁誘導方式は、Ｒ／Ｗ２０９のコイルに電流を流して発生させた磁界で、無線ＩＣタグが持つコイル状のアンテナに電流を発生させ、ＩＣチップを動かす。マイクロ波方式は、Ｒ／Ｗ２０９のアンテナから発生させた電波を無線ＩＣタグのアンテナで受け取るようにする。
【００３１】
Ｉ／Ｆ（インタフェース）２１０は、通信回線を通じてネットワーク１５０に接続され、ネットワーク１５０を介して、サーバ、他の情報処理装置、各種データベースなどに接続される。そして、Ｉ／Ｆ２１０は、ネットワーク１５０と装置内部とのインタフェースを司り、前記サーバ、他の情報処理装置、各種データベースからのデータの入出力を制御する。Ｉ／Ｆ２１０は、たとえばモデムやＬＡＮアダプタなどである。またＩ／Ｆ２１０は、ＵＳＢなどの外部入出力としても用いることができる。
【００３２】
操作ボタン２１１は、電源スイッチ、データの送受信、各種データの入力・設定などに用いる。また、キーボード２１２は、文字などを入力することによって付加情報を入力する。また、時計２１３は、現在時刻を計時し、撮影がおこなわれた時刻を出力する。
【００３３】
ＧＰＳ２１４は、対象物管理情報生成装置１００が存在する位置を検出し、出力する。具体的には、ＧＰＳ２１４は、ＧＰＳ衛星からの電波を受信し、ＧＰＳ衛星との幾何学的位置を求めるものであり、地球上どこでも計測可能である。電波としては、１．５７５．４２ＭＨｚの搬送波で、Ｃ／Ａ（Ｃｏａｒｓｅ  ａｎｄ  Ａｃｃｅｓｓ）コードおよび航法メッセージが乗っているＬ１電波を用いておこなわれる。Ｃ／Ａコードはビット率１．０２３Ｍｂｐｓで、コードの長さは１０２３ｂｉｔ＝１ｍｓである。また、航法メッセージはビット率５０ｂｐｓで、コードの長さは、サブフレームが３００ｂｉｔ＝６ｓであり、メインフレームが１５００ｂｉｔ＝３０ｓであり、５サブフレームが１メインフレームであり、２５メインフレームが１マスターフレームである。
【００３４】
プリンタ２１５は、各種情報（ＩＤ、重量情報、日付情報、場所情報など）を印刷する。たとえば、サーマルプリンタ、インクジェットプリンタなどである。印刷紙としてはたとえばロール紙が装着され、またロール紙を切断するカッター部材もあわせて設けられていてもよい。
【００３５】
カメラ２１６は、デジタルスチルカメラ、デジタルビデオカメラなど、ＣＣＤ（Ｃｈａｒｇｅ  Ｃｏｕｐｌｅｄ  Ｄｅｖｉｃｅ：電荷結合素子）などの撮像素子を備え、画像を電気信号に変換し、そのデータをデジタル化して記録する電子機器からなる。
【００３６】
（対象物管理情報生成装置の機能的構成）
つぎに、対象物管理情報生成装置の機能的構成について説明する。図３は、本実施の形態にかかる対象物管理情報生成装置の機能的構成の一例を示すブロック図である。図３において、本実施の形態にかかる対象物管理情報生成装置１００は、対象物情報取得部３０１と、撮影部３０２と、管理情報生成部３０３と、表示部３０４と、管理情報記憶部３０５と、管理情報出力部３０６と、画像記録部３０７と、撮影情報取得部３０８と、撮影情報記録部３０９と、付加情報入力部３１０と、付加情報記録部３１１と、を含む構成となっている。そして、ＲＯＭ２０２、ＲＡＭ２０３、ＨＤ２０５、ＦＤ２０７に記憶されたプログラムをＣＰＵ２０１が実行することによって各構成部の機能を実現することができる。
【００３７】
ここで、対象物情報取得部３０１は、対象物に設けられたＲＦＩＤタグ１０１に記憶された対象物に関する情報を取得する。ここで、対象物は、たとえば中古車のリサイクル部品であってもよい。対象物情報取得部３０１は、具体的には、たとえば図２に示したＲ／Ｗ２０９によってその機能を実現する。
【００３８】
撮影部３０２は、対象物の外観を撮影し、画像情報を取得する。撮影部３０２は、具体的には、たとえば図２に示したカメラ２１６などによってその機能を実現する。
【００３９】
管理情報生成部３０３は、撮影部３０２によって取得された画像情報と、対象物情報取得部３０１によって取得された情報とに基づいて、対象物の管理情報を生成する。具体的には、たとえば、対象物（たとえば部品）に添付されたＲＦＩＤタグ１０１から、対象物情報取得部３０１によって部品番号に関する情報を取得して、撮影部３０２によって撮られた写真のファイル名称にすることができる。この際、部品番号が「Ａ１２３４１２３４」であれば、この部品の１枚目の写真を「Ａ１２３４１２３４−１」と自動的に割り振って、管理情報記憶部３０５に記憶させることができる。
【００４０】
表示部３０４は、管理情報生成部３０３によって生成された対象物の管理情報を表示する。表示部３０４は、具体的には、たとえば図１および図２に示したディスプレイ２０８によってその機能を実現する。表示部３０４に表示する表示画面の詳細な内容については後述する。
【００４１】
管理情報記憶部３０５は、管理情報生成部３０３によって生成された管理情報を記憶する。管理情報記憶部３０５は、具体的には、たとえば図２に示したＲＡＭ２０３、ＨＤ２０５、ＦＤ２０７によってその機能を実現する。
【００４２】
管理情報出力部３０６は、管理情報記憶部３０５によって記憶された管理情報を、図１に示したネットワーク１５０を介してサーバ１０２などの他の情報処理装置へ出力する。管理情報出力部３０６は、具体的には、たとえば図２に示したＩ／Ｆ２１０によってその機能を実現する。
【００４３】
画像記録部３０７は、撮影部３０２によって取得された画像情報をＲＦＩＤタグ１０１に記録する。画像記録部３０７は、具体的には、たとえば図２に示したＲ／Ｗ２０９によってその機能を実現する。
【００４４】
撮影情報取得部３０８は、撮影部３０２によって対象物の外観が撮影された日時に関する情報、撮影者に関する情報、前記対象物の外観が撮影された場所に関する情報、さらには、当該対象物と関連する別の対象物に関する情報などを取得する。ここで、管理情報生成部３０３は、撮影部３０２によって取得された画像情報と、対象物情報取得部３０１によって取得された情報と、撮影情報取得部３０８によって取得された情報とに基づいて、対象物の管理情報を生成する。
【００４５】
撮影情報取得部３０８は、具体的には、たとえば図２に示したＲ／Ｗ２０９によってその機能を実現する。また、日時に関する情報は、図２に示した時計２１３などによってその情報を取得することができる。また、撮影者に関する情報は、具体的には、たとえばあらかじめ撮影者に関する情報を入力しておくか、図示を省略する撮影者が備えているＲＦＩＤタグから当該撮影者情報を読み取ることで取得する。
【００４６】
また、撮影場所に関する情報は、具体的には、たとえば図２に示したＧＰＳ２１４によってその場所情報を取得する。また、当該対象物と関連する別の対象物に関する情報は、具体的には、たとえば図１に示したネットワーク１５０に接続されたデータベース１０４から関連する情報を検索することによって取得することができる。
【００４７】
撮影情報記録部３０９は、撮影情報取得部３０８によって取得された撮影情報をＲＦＩＤタグ１０１に記録する。撮影情報記録部３０９は、具体的には、たとえば図２に示したＲ／Ｗ２０９によってその機能を実現する。
【００４８】
付加情報入力部３１０は、管理情報生成部３０３によって生成された管理情報に対する付加情報の入力を受け付ける。付加情報入力部３１０は、具体的には、たとえば図２に示した操作ボタン２１１、キーボード（タッチパネル）２１２によってその機能を実現する。そして、管理情報記憶部３０５は、付加情報入力部３１０によって入力された付加情報を管理情報に関連付けして記憶する。
【００４９】
（対象物管理情報生成装置の処理手順）
図４は、本実施の形態にかかる対象物管理情報生成装置の処理の手順を示すフローチャートである。図４のフローチャートにおいて、まず、対象物を撮影し、その対象物の画像情報を取得したか否かを判断する（ステップＳ４０１）。ここで、画像情報を取得するのを待って、取得した場合（ステップＳ４０１：Ｙｅｓ）は、つぎに、当該対象物に設けられているＲＦＩＤタグ１０１の情報の読み取り処理をおこなう（ステップＳ４０２）。
【００５０】
その際、必要に応じて、ステップＳ４０１において取得した画像情報をＲＦＩＤタグ１０１に記録する（ステップＳ４０３）。したがって、このステップＳ４０３は省略してもよい。
【００５１】
その後、撮影情報を取得したか否かを判断する（ステップＳ４０４）。ここで、撮影情報を取得しなかった場合（ステップＳ４０４：Ｎｏ）は、何もせずにステップＳ４０６へ移行する。一方、撮影情報を取得した場合（ステップＳ４０４：Ｙｅｓ）は、必要に応じて、ステップＳ４０４において取得した撮影情報をＲＦＩＤタグ１０１に記録する（ステップＳ４０５）。したがって、このステップＳ４０５も省略してよい。
【００５２】
つぎに、撮影情報を取得しなかった場合は、画像情報およびＲＦＩＤタグ１０１から読み取られた情報に基づいて、撮影情報を取得した場合は、画像情報およびＲＦＩＤタグ１０１から読み取られた情報に加えてさらに撮影情報に基づいて、管理情報を生成し（ステップＳ４０６）、生成された管理情報を記憶する（ステップＳ４０７）とともに、生成された管理情報を表示画面に表示する（ステップＳ４０８）。
【００５３】
その後、付加情報の入力があったか否かを判断する（ステップＳ４０９）。ここで、付加情報の入力がなかった場合（ステップＳ４０９：Ｎｏ）は、何もせずに、ステップＳ４１２へ移行する。一方、ステップ４０９において、付加情報の入力があった場合（ステップＳ４０９：Ｙｅｓ）は、入力された付加情報を記憶する（ステップＳ４１０）とともに、入力された付加情報を表示する（ステップＳ４１１）。
【００５４】
そして、付加情報の入力があった場合は管理情報および付加情報を、付加情報の入力がなかった場合は管理情報のみをネットワーク１５０を介して他の情報処理装置へ出力する（ステップＳ４１２）。これによって一連の処理を終了する。
【００５５】
（付加情報の入力処理の内容）
つぎに、付加情報入力部３１０による付加情報の入力処理について説明する。図５は、本実施の形態にかかる対象物管理情報生成装置の使用例の一形態を示す説明図である。図５において、対象物管理情報生成装置１００がカメラ２１６で対象物（自動車のドア部品）を撮影すると、撮影された映像がディスプレイ２０８に映し出される。ここで、『停止』ボタン５０１がシャッターボタンとなっているため、この『停止』ボタン５０１を押下すると、ディスプレイ２０８に映し出させている映像が停止し、静止画となる。
【００５６】
また、Ｒ／Ｗ２０９が自動車ドア部品に設けられたＲＦＩＤタグ１０１の情報を読み取り、読み取られた情報もディスプレイ２０８に表示される。また、ディスプレイ２０８はタッチパネルになっており、備え付けられているペン（または指など）５０３で文字などを入力することができる。図５にあっては、自動車ドア部品にあるキズをマーキングしたり、そのキズの状況などを文章で記録することができる。付加情報の入力が終了して、管理情報が完成した場合は、『保存』ボタン５０２を押下することで、管理情報として記憶される。また、図示を省略するプリンタ２１５を内蔵していてもよく、上記管理情報を記録紙に印刷することができる。
【００５７】
従来は、デジタル写真にコメントを入力するためには、写真を印刷して書き込む必要があった。また、撮影した画像データにコメントを書き込む場合は、画像操作用のアプリケーションを利用する必要があった。通常のデジタルカメラでは、このような作業をおこなうことは困難であり、面倒なファイルの操作が必要であった。これに対して本実施の形態にあっては、取り込むべき画像を表示する画面（ディスプレイ２０８）縦横に、写真を撮影した際には撮影した画面を表示し、そのまま当該画面にコメントを書き加えて画像データとして表示することができ、リサイクル部品管理情報の生成を効率的におこなわしめることができる。
【００５８】
（撮影情報の取得・記録処理の内容）
つぎに、撮影情報取得部３０８および撮影情報記録部３０９による撮影情報の取得・記録処理について説明する。図６は、本実施の形態にかかる対象物管理情報生成装置の使用例の別の一形態を示す説明図である。図６において、対象物管理情報生成装置１００が、まず、車両６００の車体番号『Ａ１２３４５』を所定の入力欄（車体番号入力欄）６０１に入力する。そうすると、ネットワーク１５０を介して、商品（車両）のカタログデータを蓄積したデータベース（たとえばデータベース１０４）にアクセスし、入力された車体番号と関連がある特別仕様に関する情報が一つまたは複数個表示される（『仕様１』『仕様２』・・・）。そして、オペレータが、車両６００を目視し、外観情報からどの仕様かを判断した後、表示されている該当する仕様の領域６０２を押下する。それによって、車両６００の仕様が固定される。特別仕様の選択メニューの形式は、一覧表示形式のほか、図６の表示画面６１０に示すようなツリー形式などにしてもよい。これらは、選択肢の数によって、適宜、表示形式を変更するようにしてもよい。この際、図示は省略するが、表示切り替えスイッチなどによっておこなうようにするとよい。
【００５９】
車両６００の種類によっては、多種多様な特別仕様車などが存在するために、当該仕様によっては、同じ部位のリサイクル部品でも形状や品質が異なる。したがって、車両６００の種類が特定できたとしても、その使用が不明確であれば、当該リサイクル部品の新品部品時の部品番号が特定しにくい場合がある。したがって、不完全な部品情報、たとえば『車種○○の前右のドア』という情報だけでは、部品が合わずに使用できないということが発生してしまう。
【００６０】
そのような場合を想定し、車両６００の仕様を固定することで、車両６００の仕様まで含めた商品の詳細情報を取得し、その詳細情報を車両６００やリサイクル部品に設けられたＲＦＩＤタグ１０１に記録する。これによって、車両６００とリサイクル部品をひも付けできるとともに、より正確な部品情報を提供することができ、リサイクル部品購入後のトラブルを未然に防止することができる。
【００６１】
また図７は、本実施の形態にかかる対象物管理情報生成装置の使用例の別の一形態を示す説明図である。図７において、リサイクル部品（エンジン７００）に対しておこなう複数の検査項目に対し、各検査項目ごとに検査の状況が明確となるような画像の取得（写真の撮影）をおこない、さらに、検査の状況に関する情報、品質チェック時の異常に関する情報とあわせて、エンジン７００に設けられたＲＦＩＤタグ１０１に記録する。ここで、品質確認のステップごとに撮影した写真データに対して、部品管理番号をファイル名称にして保存するようにしてもよい。
【００６２】
リサイクル部品の種類によっては、たとえばエンジンなど、正常に機能しない場合にリサイクル部品としての価値がないものがある。したがって、そのようなリサイクル部品を売買する際は、そのリサイクル部品が正常に機能するかを検査する必要があり、さらに場合によっては修理などをおこなう必要がある。この検査や修理が不十分の状態で売買がなされると購入後のトラブルとなる。しかしながら購入者は、検査や修理が十分かどうかについては知り得ることが困難であり、販売業者を信用するしかなかった。
【００６３】
図８は、自動車リサイクル部品の一連の加工の工程を示す説明図である。図８において、ＳＴＥＰ１は、車両６００の受入れ部門（工場外）であり、ＳＴＥＰ１では、車両６００を受入れ、車両６００に設けられているＲＦＩＤタグ１０１ａに記録されている情報を読み取ったり、また、ＲＦＩＤタグ１０１ａに必要な情報（車両６００の外観を撮影した写真（画像）データを含む）を書き込んだりする。
【００６４】
ＳＴＥＰ２は、車両６００の取りはずし部門（工場内）であり、ＳＴＥＰ２では、車両６００から取りはずしたリサイクル部品（エンジン）７００に設けられているＲＦＩＤタグ１０１ｂに記録されている情報を読み取ったり、また、ＲＦＩＤタグ１０１ｂに必要な情報（エンジン７００の外観を撮影した写真（画像）データを含む）を書き込んだりする。その後、検査などを経て、リサイクル部品は完成し、在庫となる。なお、一連の加工に関する情報を、ＲＦＩＤタグ１０１ｂに書き込むとともに、あるいはＲＦＩＤタグ１０１ｂに書き込む代わりに、各情報をサーバ１０２によって管理し、つぎの工程において管理された情報を渡すようにしてもよい。
【００６５】
従来、部品の取りはずし・検査・補修などのそれぞれの工程を別の担当者が別の場所でおこなうことが一般的であり、すべての検査・修理の状況を正確に把握することが困難であり、その結果として、全体的にリサイクル部品の品質の低下を招き（リサイクル部品の当たりはずれが多くなり）、リサイクル市場の活性化を十分に図ることができていない。そこで、図７に示すように対象物管理情報生成装置１００を使用することによって、上記問題点を解消することができる。
【００６６】
以上説明したように、本実施の形態によれば、撮影部３０２が対象物の外観を撮影し、画像情報を取得し、対象物情報取得部３０１が、対象物に設けられたＲＦＩＤタグ１０１に記憶された対象物に関する情報を取得し、管理情報生成部３０３が、取得された画像情報と取得された対象物に関する情報とに基づいて対象物の管理情報を生成し、管理情報記憶部３０５が生成された管理情報を記憶し、管理情報出力部３０６が記憶された管理情報を出力するため、対象物に設けられたＲＦＩＤタグ１０１に記録されている対象物の情報とその画像を容易に関連付けすることができ、これによって、対象物の売買、流通などの際に、対象物に関する情報の管理を効率的かつ適切におこなうことができる。特に対象物がリサイクル部品である場合に、その流通を促進し、リサイクル市場の活性化を図ることができる。また、本実施の形態によれば、画像記録部３０７が、取得された画像情報をＲＦＩＤタグ１０１に記録するため、各対象物のＲＦＩＤタグ１０１から、当該対象物の外観に関する画像情報を読み取ることができる。
【００６７】
また、本実施の形態によれば、撮影情報取得部３０８が、撮影部３０２によって対象物（たとえば、リサイクル部品など）の外観が撮影された日時に関する情報、対象物の外観を撮影した撮影者に関する情報、対象物の外観が撮影された場所に関する情報、対象物と関連のある別の対象物に関する情報の少なくともいずれか一つに関する情報を取得し、管理情報生成部３０３が、撮影部３０２によって取得された画像情報と、対象物情報取得部３０１によって取得された情報と、撮影情報取得部３０８によって取得された情報とに基づいて、対象物の管理情報を生成するため、対象物に設けられたＲＦＩＤタグ１０１に記録されている対象物の情報とその画像と画像の撮影情報とを容易に関連付けすることができる。また、本実施の形態によれば、撮影情報記録部３０９が、取得された撮影情報をＲＦＩＤタグ１０１に記録するため、各対象物のＲＦＩＤタグ１０１から、当該対象物の外観に関する画像情報およびその画像情報の撮影情報を読み取ることができる。
【００６８】
また、本実施の形態によれば、付加情報入力部３１０が、生成手段によって生成された管理情報に対する付加情報（たとえば、対象物の品質検査状況に関する情報など）の入力を受け付け、管理情報記憶部３０５が、付加情報入力部３１０によって入力された付加情報を管理情報に関連付けして記憶するため、対象物について管理情報以外のより詳細な情報もあわせて管理することができる。また、本実施の形態によれば、付加情報記録部３１１が、入力された付加情報をＲＦＩＤタグ１０１に記録するため、各対象物のＲＦＩＤタグ１０１から、当該対象物の外観に関する画像情報およびその画像情報の撮影情報だけでなく、その付加情報も読み取ることができる。
【００６９】
また、本実施の形態によれば、サーバ１０２が、対象物管理情報生成装置１００から出力された管理情報を、インターネットなどのネットワークを介して閲覧可能に登録するため、ネットワークを介して対象物の検索などをおこなうことができる。
【００７０】
なお、本実施の形態で説明した対象物管理方法は、あらかじめ用意されたプログラムをパーソナルコンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００７１】
以上のように、本発明にかかる対象物管理情報生成装置、対象物管理装置、対象物管理方法および対象物管理プログラムは、対象物の売買、流通などをおこなうシステムに用いるのに適し、特にリサイクル部品の管理に有用である。
【図面の簡単な説明】
【００７２】
【図１】本発明の実施の形態にかかる中古車リサイクル部品管理システムの概要を示す説明図である。
【図２】本実施の形態にかかる対象物管理情報生成装置のハードウエア構成を示すブロック図である。
【図３】本実施の形態にかかる対象物管理情報生成装置の機能的構成の一例を示すブロック図である。
【図４】本実施の形態にかかる対象物管理情報生成装置の処理の手順を示すフローチャートである。
【図５】本実施の形態にかかる対象物管理情報生成装置の使用例の一形態を示す説明図である。
【図６】本実施の形態にかかる対象物管理情報生成装置の使用例の別の一形態を示す説明図である。
【図７】本実施の形態にかかる対象物管理情報生成装置の使用例の別の一形態を示す説明図である。
【図８】自動車リサイクル部品の一連の加工の工程を示す説明図である。
【符号の説明】
【００７３】
１００  対象物管理情報生成装置
１０１  ＲＦＩＤ（Ｒａｄｉｏ  Ｆｒｅｑｕｅｎｃｙ  ＩＤ）タグ
１０２  サーバ
１０３  情報処理装置（ＰＣ）
１０４  データベース
１０５  携帯型情報端末装置
１５０  ネットワーク
２０８  ディスプレイ
２０９  Ｒ／Ｗ（リーダー／ライター）
２１６  カメラ
３０１  対象物情報取得部
３０２  撮影部
３０３  管理情報生成部
３０４  表示部
３０５  管理情報記憶部
３０６  管理情報出力部
３０７  画像記録部
３０８  撮影情報取得部
３０９  撮影情報記録部
３１０  付加情報入力部
３１１  付加情報記録部
【図１】
2006155236.tif 000003
【図２】
2006155236.tif 000004
【図３】
2006155236.tif 000005
【図４】
2006155236.tif 000006
【図５】
2006155236.tif 000007
【図６】
2006155236.tif 000008
【図７】
2006155236.tif 000009
【図８】
2006155236.tif 000010